(57)【要約】【課題】着用者のバストに合わせてきれいにバランスよくバストアップを図る。【解決手段】本発明は、左右一対のカップ１１Ｌ，１１Ｒと、各カップ１１Ｌ，１１Ｒの脇側縁部から後方に延びる左右一対のアンダーベルト１３Ｌ，１３Ｒと、各カップ１１Ｌ，１１Ｒの上端部と前記各アンダーベルト１３Ｌ，１３Ｒの上側縁部とに掛け渡される肩ストラップ１４Ｌ，１４Ｒとを備えたブラジャー１０において、各カップ１１Ｌ，１１Ｒの内側にパッド２８Ｌ，２８Ｒが設けられ、各カップ１１Ｌ，１１Ｒの上下にそれぞれバストサスペンダー２６Ｌ，２６Ｒが掛け渡されていることを特徴とする。【選択図】図１
2011052328.tif 000002
【特許請求の範囲】
【請求項１】
左右一対のカップと、該各カップの脇側縁部から後方に延びる左右一対のアンダーベルトと、前記各カップの上端部と前記各アンダーベルトの上側縁部とに掛け渡される肩ストラップとを備えたブラジャーにおいて、
前記各カップの内側にパッドが設けられ、前記各カップの上下にそれぞれバストサスペンダーが掛け渡されていることを特徴とするブラジャー。
【請求項２】
前記各カップの下縁部の湾曲形状に沿ってカップの縫製部分が設けられ、前記バストサスペンダーは前記各カップの縫製部分の脇側部分と前記各カップの上端部との間にそれぞれ掛け渡されている請求項１に記載のブラジャー。
【請求項３】
前記バストサスペンダーは前記肩ストラップの延長線上に設けられている請求項１又は２に記載のブラジャー。
【請求項４】
前記バストサスペンダーはその長さを調節する手段を備えている請求項１〜３のいずれか１の請求項に記載のブラジャー。
【請求項５】
前記バストサスペンダーは前記各カップの外側に設けられている請求項１〜４のいずれか１の請求項に記載のブラジャー。
【請求項６】
前記バストサスペンダーは生地により覆い隠されている請求項１〜５のいずれか１の請求項に記載のブラジャー。
【発明の詳細な説明】
【技術分野】
【０００１】
本発明は、女性のバストを保護するブラジャーに関し、特に、バストアップを図ることのできるブラジャーに関するものである。
【背景技術】
【０００２】
近年、バストアップを図ることのできるブラジャーが各種提案されており、現在、この種のブラジャーとしては、左右一対のカップの内側に中央部分が膨らんだレモン形状のパッドや略半月形状のパッドを挿入したものが知られている（例えば、特許文献１参照）。
【先行技術文献】
【特許文献】
【０００３】
【特許文献１】特開２００１−２５４２０５号公報
【発明の概要】
【発明が解決しようとする課題】
【０００４】
しかしながら、上記した従来のブラジャーでは、カップの内側に挿入したパッドによってカップ内のバストのボリュームを増加させ、着用者のバストを豊満に見せることはできるが、着用者のバストの重みによりパッドの体積の一部分がバストの寄せ上げ方向とは反対側のカップの外側に膨らんでしまうため、パッドが持つ体積分を十分にバストの寄せ上げ力に変換することができないといった問題があった。
【０００５】
本発明は、上記した課題を解決すべくなされたものであり、着用者のバストに合わせてきれいに効率よくバストを寄せ上げ、バストの盛り上がりを強調した豊満な谷間を演出することのできるブラジャーを提供することを目的とするものである。
【課題を解決するための手段】
【０００６】
上記した目的を達成するため、本発明は、左右一対のカップと、該各カップの脇側縁部から後方に延びる左右一対のアンダーベルトと、前記各カップの上端部と前記各アンダーベルトの上側縁部とに掛け渡される肩ストラップとを備えたブラジャーにおいて、前記各カップの内側にパッドが設けられ、前記各カップの上下にそれぞれバストサスペンダーが掛け渡されていることを特徴とする。
【０００７】
そして、前記各カップの下縁部の湾曲形状に沿ってカップの縫製部分が設けられ、前記バストサスペンダーは前記各カップの縫製部分の脇側部分と前記各カップの上端部との間にそれぞれ掛け渡されているのが好ましい。
【０００８】
また、前記バストサスペンダーは前記肩ストラップの延長線上に設けられているのが好ましく、前記バストサスペンダーはその長さを調節する手段を備えているのが好ましい。
【０００９】
さらに、前記バストサスペンダーは、前記各カップの外側に設けられていてもよく、或いは、前記各カップの内側に設けられていてもよい。
【発明の効果】
【００１０】
本発明によれば、着用者のバストに合わせてきれいに効率よくバストを寄せ上げ、バストの盛り上がりを強調した豊満な谷間を演出することができる等、種々の優れた効果を得ることができる。
【図面の簡単な説明】
【００１１】
【図１】本発明の実施の形態に係るブラジャーを示す正面図である。
【図２】本発明の実施の形態に係るブラジャーを示す背面図である。
【図３】本発明の実施の形態に係るブラジャーのバストサスペンダーを示す斜視図である。
【発明を実施するための形態】
【００１２】
以下、図面を参照しつつ、本発明の実施の形態について説明する。ここで、図１は本発明の実施の形態に係るブラジャーを示す正面図、図２は同ブラジャーの背面図、図３は同ブラジャーのバストサスペンダーを示す斜視図である。
【００１３】
図１に示されているように、本実施の形態に係るブラジャー１０は、左右一対のカップ１１Ｌ，１１Ｒと、中央側で各カップ１１Ｌ，１１Ｒを左右に連結する連結部１２と、各カップ１１Ｌ，１１Ｒの脇側縁部から後方に延びる左右一対のアンダーベルト１３Ｌ，１３Ｒと、肩ストラップ１４Ｌ，１４Ｒとを備えて構成されている。
【００１４】
左右のカップ１１Ｌ，１１Ｒは、前方に僅かに突出するように立体的に縫製され、表面には飾りレース１５Ｌ，１５Ｒが取り付けられている。そして、各カップ１１Ｌ，１１Ｒには、下縁部の湾曲形状に沿ってそれぞれカップの縫製部分１６Ｌ，１６Ｒが設けられている。また、各カップ１１Ｌ，１１Ｒの上端部にはループ状に上側掛止部１７Ｌ，１７Ｒが取り付けられ、各カップの縫製部分１６Ｌ，１６Ｒの脇側部分にはループ状に下側掛止部１８Ｌ，１８Ｒが取り付けられている。
【００１５】
図２に示されているように、カップ１１Ｌ，１１Ｒの裏面にはそれぞれパッド２８Ｌ，２８Ｒが設けられている。このパッド２８Ｌ，２８Ｒは、膨らみを有するレモン形状又は半月形状を成し、カップ１１Ｌ，１１Ｒの下側及び脇側部分に沿って配置されている。
【００１６】
再び、図１を参照すると、左右のアンダーベルト１３Ｌ，１３Ｒは、それぞれ先端に向って幅が漸減するように形成されており、一方のアンダーベルト１３Ｒにはフック１９が上下に複数段（図示では３段）に渡って取り付けられ、他方のアンダーベルト１３Ｌにはこのフック１９が掛止可能な複数段（図示では３段）の留め金２０が一定間隔で複数列（図示では２列）取り付けられている。また、各アンダーベルト１３Ｌ，１３Ｒの上側縁部にはループ状の掛止部２１Ｌ，２１Ｒが取り付けられている。
【００１７】
左右の肩ストラップ１４Ｌ，１４Ｒは、一端が連結具２２Ｌ，２２Ｒを介して各カップ１１Ｌ，１１Ｒの上側掛止部１７Ｌ，１７Ｒに着脱自在に連結され、他端が連結具２３Ｌ，２３Ｒを介して各アンダーベルト１３Ｌ，１３Ｒの掛止部２１Ｌ，２１Ｒに着脱自在に連結されている。
【００１８】
各カップ１１Ｌ，１１Ｒの上側掛止部１７Ｌ，１７Ｒと下側掛止部１８Ｌ，１８Ｒとの間にはそれぞれ連結具２４Ｌ，２４Ｒ及び２５Ｌ，２５Ｒを介してバストサスペンダー２６Ｌ，２６Ｒが着脱自在に掛け渡されており、このバストサスペンダー２６Ｌ，２６Ｒは肩ストラップ１４Ｌ，１４Ｒの延長線上に設けられていてもよい。
【００１９】
各バストサスペンダー２６Ｌ，２６Ｒは各カップ１１Ｌ，１１Ｒの外側に設けられており、飾りレース（図示省略）によって装飾されていてもよい。また、各バストサスペンダー２６Ｌ，２６Ｒには長さ調整具２７Ｌ，２７Ｒが取り付けられており、この長さ調整具２７Ｌ，２７Ｒによって各バストサスペンダー２６Ｌ，２６Ｒをブラジャー１０の着用者のバストに合わせて所望な長さに調整できるようになっている。
【００２０】
このように上記した本発明の実施の形態に係るブラジャー１０によれば、各カップ１１Ｌ，１１Ｒの内側に設けたパッド２８Ｌ，２８Ｒによってカップ１１Ｌ，１１Ｒ内のバストのボリュームを増加させると共に、バストサスペンダー２６Ｌ，２６Ｒによって着用者のバストを中心上側に寄せ上げることができる。したがって、着用者のバストの重みによってパッド２８Ｌ，２８Ｒの体積の一部分がバストの寄せ上げ方向とは反対側のカップカップ１１Ｌ，１１Ｒの外側に膨らんでしまうことがなく、パッド２８Ｌ，２８Ｒが持つ体積分を十分にバストの寄せ上げる力に変換することができるため、着用者のバストをきれいに効率よく寄せ上げることができ、バストの盛り上がりを強調した豊満な谷間を有する美しいバストラインを演出することができる。
【００２１】
また、バストサスペンダー２６Ｌ，２６Ｒを肩ストラップ１４Ｌ，１４Ｒの延長線上に設けることにより、着用者のバストを最小限の力で効率的に上げることもできる。
【００２２】
なお、上記した実施の形態では、バストサスペンダー２６Ｌ，２６Ｒをカップ１１Ｌ，１１Ｒの外側に露出させているが、これは単なる例示に過ぎず、バストサスペンダー２６Ｌ，２６Ｒの外側を生地で覆い隠すデザインとしてもよい。
【符号の説明】
【００２３】
１０              ブラジャー
１１Ｌ，１１Ｒ    カップ
１３Ｌ，１３Ｒ    アンダーベルト
１４Ｌ，１４Ｒ    肩ストラップ
１６Ｌ，１６Ｒ    カップの縫製部分
２６Ｌ，２６Ｒ    バストサスペンダー
２７Ｌ，２７Ｒ    長さ調整具
２８Ｌ，２８Ｒ    パッド
【図１】
2011052328.tif 000003
【図２】
2011052328.tif 000004
【図３】
2011052328.tif 000005